(57)【特許請求の範囲】
【請求項１】
方法であって、
該方法は、
車両がルートに沿って興味ある地点へと走行しながら、
該ルートに対応するナビゲーション情報を含む位置情報をナビゲーションエンジンから該車両のヘッドユニットのプロセッサで受信することと、
ユーザデータを該プロセッサで受信することであって、該ユーザデータは、位置更新アクティベーションインジケータと、１つ以上の位置更新条件とを含み、該１つ以上の位置更新条件は、閾値時間および閾値距離のうちの少なくとも１つを含む、ことと、
該位置更新アクティベーションインジケータがアクティブであることを該プロセッサによって特定することと、
該車両の位置に関連するリアルタイムまたは周期的なリアルタイムの位置情報を該プロセッサによって取得することであって、該位置情報は、該興味ある地点に対する該ルート上の該車両の現在の位置を含む、ことと、
該車両が、該興味ある地点から該閾値時間内にあるのか、該閾値距離内にあるのかのうちの１つ以上を満たしているかどうかを特定することにより、少なくとも１つの位置更新条件が満たされていることを該プロセッサによって特定することと、
少なくとも１つの位置更新条件が満たされている場合に、ソーシャルネットワークに位置更新を該プロセッサによって自動的に掲示することであって、該位置更新は、該興味ある地点に対する該ルート上の該車両の現在の位置を含む、ことと
を含む、方法。
【請求項２】
ユーザとの対話なしにワイヤレスインターネット通信リンクを確立し、該ワイヤレス通信リンクを介して前記ソーシャルネットワークに前記位置更新を自動的に掲示すること
をさらに含む、請求項１に記載の方法。
【請求項３】
前記車両が走行しているときに前記位置情報を前記プロセッサによって自動的に更新すること
をさらに含む、請求項２に記載の方法。
【請求項４】
前記リアルタイムまたは周期的なリアルタイムの位置情報を取得することは、全地球測位システム（ＧＰＳ）からリアルタイムまたは周期的なリアルタイムの位置情報を受信すること
を含む、請求項１に記載の方法。
【請求項５】
少なくとも１つのソーシャルネットワークと接続を確立し、該ソーシャルネットワークから友達の位置データを含む友達データを取得すること
をさらに含む、請求項１に記載の方法。
【請求項６】
前記友達の位置データを前記車両に関連する位置情報と相関すること
をさらに含む、請求項５に記載の方法。
【請求項７】
前記車両の位置から友達の位置に到達するまでの走行時間を算定すること
をさらに含む、請求項６に記載の方法。
【請求項８】
前記車両の位置に対する友達の位置をナビゲーションディスプレイ地図上に表示すること
をさらに含む、請求項６に記載の方法。
【請求項９】
前記掲示された位置更新において一人以上の友達の位置に関する情報を提供すること
をさらに含む、請求項６に記載の方法。
【請求項１０】
興味ある地点の位置の情報にアクセスすることと、
前記車両の現在の位置に関連する位置情報を１つ以上の興味ある地点のそれぞれの位置と比較することと
をさらに含む、請求項１に記載の方法。
【請求項１１】
前記車両の位置から前もって選択された距離内にある興味ある地点を識別することと、
該車両の位置から該識別された興味ある地点のうちの１つ以上に到達するまでの走行時間を算定することと
をさらに含む、請求項１０に記載の方法。
【請求項１２】
前記掲示された位置更新において１つ以上の興味ある地点の位置に関する情報を提供すること
をさらに含む、請求項１０に記載の方法。
【請求項１３】
既定の条件に基づいて前記位置情報の掲示を防止するために、
（ａ）ユーザ特定フィルタ、
（ｂ）システムデフォルトフィルタ、および
（ｃ）プライバシーポリシー
のうちの少なくとも１つを使用することをさらに含み、
該プライバシーポリシーは、異なるソーシャルネットワークに対する異なるプライバシーポリシーを含む、請求項１に記載の方法。
【請求項１４】
前記位置更新は、第一の位置更新であり、前記少なくとも１つの位置更新条件は、第一の位置更新条件であり、前記方法は、
前記ユーザデータに少なくとも部分的に基づいて第二の位置更新が予期されていることを特定することと、
次の位置更新確認を待つことと、
第二の位置更新条件が満たされていることを特定することと、
第二の位置更新を前記ソーシャルネットワークに自動的に掲示することと
をさらに含む、請求項１に記載の方法。
【請求項１５】
ユーザの位置情報をソーシャルネットワークに自動的に掲示するシステムであって、該システムは、
ユーザデータを受信するためのシステムインターフェイスであって、該ユーザデータは、位置更新アクティベーションインジケータと、１つ以上の位置更新条件とを含み、該１つ以上の位置更新条件は、閾値時間および閾値距離のうちの少なくとも１つを含む、システムインターフェイスと、
車両のヘッドユニットと
を含み、
該車両のヘッドユニットは、
該車両の位置に関連する情報を取得するように構成されたナビゲーションエンジンであって、該情報は、車両の走行のルートに沿った興味ある地点に対する該車両の位置を示す情報を含む、ナビゲーションエンジンと、
該ナビゲーションエンジンに結合されたソーシャルネットワーククライアントであって、該ソーシャルネットワーククライアントは、
該位置更新アクティベーションインジケータがアクティブであることを特定することと、
該車両が、該興味ある地点から該閾値時間内にあるのか、該閾値距離内にあるのかのうちの１つ以上を満たしているかどうかを特定することにより、少なくとも１つの位置更新条件が満たされていることを特定することと
を実行するように構成されている、ソーシャルネットワーククライアントと、
該ソーシャルネットワーククライアントおよび該ナビゲーションエンジンに結合された通信インターフェイスであって、該通信インターフェイスは、該ソーシャルネットワーククライアントが該少なくとも１つの位置更新条件が満たされていると特定した場合に、該ソーシャルネットワークに位置更新を自動的に掲示するように構成され、該位置更新は、少なくとも１つの興味ある地点に対する該車両の位置を示す、人が読める文字ベースメッセージを含む、通信インターフェイスと
を含む、システム。
【請求項１６】
前記通信インターフェイスは、ユーザとの対話なしにワイヤレスインターネット通信リンクを確立することによって、前記位置更新が該ワイヤレスリンクを介して前記ソーシャルネットワークに自動的に掲示されるようにするように構成されている、請求項１５に記載のシステム。
【請求項１７】
前記ナビゲーションエンジンは、前記車両が走行しているときに自動的に更新される位置情報を受信するように構成されている、請求項１６に記載のシステム。
【請求項１８】
前記ナビゲーションエンジンは、全地球測位システム（ＧＰＳ）に結合され、該ナビゲーションエンジンは、該ＧＰＳからリアルタイムまたは周期的なリアルタイムの位置情報を受信する、請求項１５に記載のシステム。
【請求項１９】
前記ソーシャルネットワーククライアントは、少なくとも１つのソーシャルネットワークと接続を、該ソーシャルネットワークから友達の位置データを含む友達データを取得するために、確立する、請求項１５に記載のシステム。
【請求項２０】
前記ナビゲーションエンジンは、前記友達の位置データを前記車両に関連する位置情報と相関する、請求項１９に記載のシステム。
【請求項２１】
前記ナビゲーションエンジンは、前記車両の位置から友達の位置に到達するまでの走行時間を算定する、請求項２０に記載のシステム。
【請求項２２】
前記車両の位置に対する友達の位置を表示するように構成されたナビゲーション地図ディスプレイをさらに含む、請求項２０に記載のシステム。
【請求項２３】
一人以上の友達の位置に関する情報が前記掲示された位置更新において提供される、請求項２０に記載のシステム。
【請求項２４】
前記ナビゲーションエンジンは、興味ある地点の位置の情報にアクセスするように構成され、前記車両の位置に関連する位置情報を１つ以上の興味ある地点の位置と比較する、請求項１５に記載のシステム。
【請求項２５】
前記ナビゲーションエンジンは、前記車両の位置から前もって選択された距離内にある興味ある地点を識別して、該車両の位置から該識別された興味ある地点の１つ以上に到達するまでの走行時間を算定するように構成されている、請求項２４に記載のシステム。
【請求項２６】
１つ以上の興味ある地点の位置に関する情報が前記掲示された位置更新において提供される、請求項２４に記載のシステム。
【請求項２７】
前記ソーシャルネットワーククライアントは、既定の条件下において位置情報の掲示を防止するために、
（ａ）ユーザ特定フィルタ、
（ｂ）システムデフォルトフィルタ、および
（ｃ）プライバシーポリシー
のうちの少なくとも１つを使用する、請求項１５に記載のシステム。
【請求項２８】
車両のヘッドユニットであって、
ユーザデータを受信するためのシステムインターフェイスであって、該ユーザデータは、位置更新アクティベーションインジケータと、１つ以上の位置更新条件とを含む、システムインターフェイスと、
該車両の位置に関連する情報を取得するように構成されたナビゲーションエンジンであって、該情報は、車両の走行のルートに沿った興味ある地点に対する該車両の位置を示す情報を含む、ナビゲーションエンジンと、
該ナビゲーションエンジンに結合されたソーシャルネットワーククライアントであって、該ソーシャルネットワーククライアントは、
該位置更新アクティベーションインジケータがアクティブであることを特定することと、
該車両が、該興味ある地点から閾値時間内にあるのか、閾値距離内にあるのかのうちの１つ以上を満たしているかどうかを特定することにより、少なくとも１つの位置更新条件が満たされていることを特定することと
を実行するように構成されている、ソーシャルネットワーククライアントと、
該ソーシャルネットワーククライアントおよび該ナビゲーションエンジンに結合された通信インターフェイスであって、該通信インターフェイスは、該ソーシャルネットワーククライアントが少なくとも１つの位置更新条件が満たされていることを特定した場合に、該ソーシャルネットワークに対して位置更新を自動的に掲示するように構成され、該位置更新は、該車両と少なくとも１つの興味ある地点との間の距離と、該車両が少なくとも１つの興味ある地点に到達するまでの推定された時間とのうちの１つ以上を示す、人が読める文字ベースメッセージを含む、通信インターフェイスと
を含む、車両のヘッドユニット。
【発明の詳細な説明】
【技術分野】
【０００１】
（関連出願への相互参照）
本出願は、一部係属出願であり、「Ｌｏｃａｔｉｏｎ  Ａｗａｒｅ  Ｓｏｃｉａｌ  Ｎｅｔｗｏｒｋｉｎｇ」と題される、２０１０年１２月２０日に出願された米国特許出願第１２／９７３，０５４号に対して優先権を主張し、先の出願は、参照によってその全体が援用される。
【０００２】
（分野）
本開示は、概してソーシャルネットワーキングに関する。さらに詳細には、本出願は、位置自動認識モバイルシステムを使用するインターネットベースのソーシャルネットワーキングに関する。
【背景技術】
【０００３】
（背景）
インターネットベースのソーシャルネットワーキングは、世界中の人々の日々の生活において普遍的な部分になっている。Ｆａｃｅｂｏｏｋ（登録商標）、Ｔｗｉｔｔｅｒ（登録商標）、Ｂｅｂｏ（登録商標）、Ｏｒｋｕｔ（登録商標）、およびＱｚｏｎｅ（登録商標）のようなウェブサイトが、数億の人々によって日常的に使用されている。これらのサイトのそれぞれおよび他のサイトは、典型的に、友達、同僚、クラスメート、もしくは親族であることのような共通または共有の絆に基づいて人々がサイト内で互いに連絡すること、または音楽、スポーツ、宗教、趣味などの共通の関心もしくは単なる好奇心をとおして人々がサイト内において互いに連絡することを可能にする。本出願の目的に対して、「友達」または「友達（複数）」という一般的な用語は、特定のインターネットベースのソーシャルネットワーキングウェブサイト内の一人以上の相互連絡するユーザを表すために使用され、「ソーシャルネットワーク」または「ソーシャルネットワーク（複数）」という一般的な用語は、任意のこのようなインターネットベースのソーシャルネットワーキングウェブサイトの代替として使用される。
【０００４】
少なくとも一部のソーシャルネットワークにおいて、リアルタイムでない手動の態様であるが、ユーザが現在いる場所、またはそのユーザが行き得る場所を友達に通知するために、または近況を伝えるために、手動でユーザが入力または掲示することが可能である。しかし、移動中（例えば、運転中、自転車搭乗中、または人通りの多い道を歩行中）のユーザが安全にリアルタイムで更新または掲示する（少なくとも安全な）方法がない。従って、モバイルユーザが安全に友達に位置自動認識更新を提供するための、インターネットベースのソーシャルネットワークに直接インターフェイスで接続することが可能な機器またはシステムを有する必要性がある。
【発明の概要】
【課題を解決するための手段】
【０００５】
特定の例において、ソーシャルネットワークにユーザの位置情報を自動的に掲示するコンピュータ実装された方法が提供される。この方法において、位置更新アクティベーションインジケータと、１つ以上の位置更新条件とを含むユーザデータが受信される。位置更新アクティベーションインジケータがアクティブであることを特定することが実行される。モバイルユーザの位置に関連する位置情報が取得される。少なくとも１つの位置更新条件が満たされているという特定がなされ、少なくとも１つの位置更新条件が満たされている場合、位置更新をソーシャルネットワークに自動的に掲示する。
【０００６】
特定の例において、ソーシャルネットワークにユーザの位置情報を自動的に掲示するシステムが提供される。システムインターフェイスは、位置更新アクティベーションインジケータと、１つ以上の位置更新条件とを含むユーザデータを受信する。ナビゲーションエンジンは、モバイルユーザの位置に関連する情報を取得する。ナビゲーションエンジンと結合されたソーシャルネットワーククライアントは、位置更新アクティベータがアクティブであることを特定し、少なくとも１つの位置更新条件が満たされていることを特定するように適合されている。ナビゲーションエンジンおよびソーシャルネットワーククライアントに結合された通信インターフェイスは、ソーシャルネットワーククライアントが少なくとも１つの更新条件が満たされていることを特定した場合に、ソーシャルネットワークに位置更新を自動的に掲示するように適合されている。
【０００７】
本発明は例えば以下を提供する。
（項目１）  
ユーザの位置情報をソーシャルネットワークに自動的に掲示するコンピュータ実装された方法であって、該方法は、
ユーザデータを受信することであって、該ユーザデータは、位置更新アクティベーションインジケータと、１つ以上の位置更新条件とを含む、ことと、
該位置更新アクティベーションインジケータがアクティブであることを特定することと、
モバイルユーザの位置に関連する位置情報を取得することと、
少なくとも１つの位置更新条件が満たされていることを特定することと、
少なくとも１つの位置更新条件が満たされている場合に、ソーシャルネットワークに位置更新を自動的に掲示することと
を含む、コンピュータ実装された方法。
（項目２）
ユーザとの対話なしにワイヤレスインターネット通信リンクを確立し、該ワイヤレス通信リンクを介して上記ソーシャルネットワークに上記位置更新を自動的に掲示すること
をさらに含む、上記項目に記載のコンピュータ実装された方法。
（項目３）
上記モバイルユーザが車両で走行しているときに上記位置情報を自動的に更新すること
をさらに含む、上記項目のいずれか一項に記載のコンピュータ実装された方法。
（項目４）
上記位置情報を取得するステップは、全地球測位システム（ＧＰＳ）からリアルタイムまたは周期的なリアルタイムの位置情報を受信すること
をさらに含む、上記項目のいずれか一項に記載のコンピュータ実装された方法。
（項目５）
相関されたナビゲーション位置データを生成するために、上記ＧＰＳから受信された上記位置情報をナビゲーション情報と相関すること
をさらに含む、上記項目のいずれか一項に記載のコンピュータ実装された方法。
（項目６）
上記少なくとも１つの位置更新条件が満たされていることを特定するステップは、上記位置更新が掲示されるべきかどうかを特定するために、上記相関されたナビゲーション位置データを使用して上記ユーザデータに対して確認を実行すること
をさらに含む、上記項目のいずれか一項に記載のコンピュータ実装された方法。
（項目７）
少なくとも１つのソーシャルネットワークと接続を確立し、該ソーシャルネットワークから友達の位置データを含む友達データを取得すること
をさらに含む、上記項目のいずれか一項に記載のコンピュータ実装された方法。
（項目８）
上記友達の位置データを上記モバイルユーザに関連する位置情報と相関すること
をさらに含む、上記項目のいずれか一項に記載のコンピュータ実装された方法。
（項目９）
上記モバイルユーザの位置から友達の位置に到達するまでの走行時間を算定すること
をさらに含む、上記項目のいずれか一項に記載のコンピュータ実装された方法。
（項目１０）
上記モバイルユーザの位置に対する友達の位置をナビゲーションディスプレイ地図に表示すること
をさらに含む、上記項目のいずれか一項に記載のコンピュータ実装された方法。
（項目１１）
上記掲示された位置更新において上記一人以上の友達の位置に関する情報を提供すること
をさらに含む、上記項目のいずれか一項に記載のコンピュータ実装された方法。
（項目１２）
興味ある地点の位置の情報をアクセスすることと、
上記モバイルユーザの位置に関連する位置情報を上記１つ以上の興味ある地点の位置と比較することと
をさらに含む、上記項目のいずれか一項に記載のコンピュータ実装された方法。
（項目１３）
上記モバイルユーザに関連する位置から前もって選択された距離内の興味ある地点を識別することと、
該モバイルユーザの位置から該識別された興味ある地点のうちの１つ以上に到達するまでの走行時間を算定することと
をさらに含む、上記項目のいずれか一項に記載のコンピュータ実装された方法。
（項目１４）
上記掲示された位置更新において上記１つ以上の興味ある地点の位置に関する情報を提供すること
をさらに含む、上記項目のいずれか一項に記載のコンピュータ実装された方法。
（項目１５）
既定の条件に基づいて上記位置情報の掲示を防止するために、
（ａ）ユーザ特定フィルタ、
（ｂ）システムデフォルトフィルタ、および
（ｃ）プライバシーポリシー
のうちの少なくとも１つを使用すること
をさらに含む、上記項目のいずれか一項に記載のコンピュータ実装された方法。
（項目１６）
少なくとも１つの位置更新条件は、
（ａ）相関されたナビゲーション位置の時間依存性統計値、および
（ｂ）相関されたナビゲーション位置の位置依存性統計値
のうちの少なくとも１つを含む、上記項目のいずれか一項に記載のコンピュータ実装された方法。
（項目１７）
上記ユーザデータに少なくとも部分的に基づいて第二の位置更新が予期されていることを特定することと、
次の位置更新確認を待つことと、
第二の位置データを引き出すことと、
第二の位置更新条件が満たされていることを特定することと、
第二の位置更新を上記ソーシャルネットワークに自動的に掲示することと
をさらに含む、上記項目のいずれか一項に記載のコンピュータ実装された方法。
（項目１８）
ユーザの位置情報をソーシャルネットワークに自動的に掲示するシステムであって、該システムは、
ユーザデータを受信するためのシステムインターフェイスであって、該ユーザデータは、位置更新アクティベーションインジケータと、１つ以上の位置更新条件とを含む、システムインターフェイスと、
モバイルユーザの位置に関連する情報を取得するように適合されたナビゲーションエンジンと、
該ナビゲーションエンジンに結合されたソーシャルネットワーククライアントであって、該ソーシャルネットワーククライアントは、該位置更新アクティベーションインジケータがアクティブであることと、少なくとも１つの位置更新条件が満たされていることとを特定するように適合されている、ソーシャルネットワーククライアントと、
該ソーシャルネットワーククライアントおよび該ナビゲーションエンジンに結合された通信インターフェイスであって、該通信インターフェイスは、該ソーシャルネットワーククライアントが少なくとも１つの位置更新条件が満たされていると特定した場合に、該ソーシャルネットワークに位置更新を自動的に掲示するように適合されている、通信インターフェイスと
を含む、システム。
（項目１９）
上記通信インターフェイスは、ユーザとの対話なしにワイヤレスインターネット通信リンクを確立するように適合されることによって、上記位置更新が該ワイヤレスリンクを介して上記ソーシャルネットワークに自動的に掲示される、上記項目に記載のシステム。
（項目２０）
上記ナビゲーションエンジンは、上記モバイルユーザが車両で走行しているときに自動的に更新される位置情報を受信するように適合されている、上記項目のいずれか一項に記載のシステム。
（項目２１）
上記ナビゲーションエンジンは、全地球測位システム（ＧＰＳ）に結合され、該ナビゲーションエンジンは、該ＧＰＳからリアルタイム位置情報、または周期的なリアルタイム位置情報を受信する、上記項目のいずれか一項に記載のシステム。
（項目２２）
上記ナビゲーションエンジンは、相関されたナビゲーション位置データを生成するために、上記ＧＰＳから受信された位置情報をナビゲーション情報と相関する、上記項目のいずれか一項に記載のシステム。
（項目２３）
上記ソーシャルネットワーククライアントは、上記ナビゲーションエンジンから上記相関されたナビゲーション位置データを受信し、該ソーシャルネットワーククライアントは、上記位置更新が掲示されるべきかどうかを特定するために、該相関されたナビゲーション位置データを使用して上記ユーザデータに対して確認を実行する、上記項目のいずれか一項に記載のシステム。
（項目２４）
上記ナビゲーションエンジンおよび上記ソーシャルネットワーククライアントは、車両のヘッドユニットに提供される、上記項目のいずれか一項に記載のシステム。
（項目２５）
上記ソーシャルネットワーククライアントは、上記ソーシャルネットワークから友達の位置データを含む友達データを取得するために、少なくとも１つのソーシャルネットワークと接続を確立する、上記項目のいずれか一項に記載のシステム。
（項目２６）
上記ナビゲーションエンジンは、上記友達の位置データを上記モバイルユーザに関連する位置情報と相関する、上記項目のいずれか一項に記載のシステム。
（項目２７）
上記ナビゲーションエンジンは、上記モバイルユーザの位置から友達の位置に到達するまでの走行時間を算定する、上記項目のいずれか一項に記載のシステム。
（項目２８）
上記モバイルユーザの位置に対する友達の位置を表示するように適合されたナビゲーション地図ディスプレイをさらに含む、上記項目のいずれか一項に記載のシステム。
（項目２９）
上記一人以上の友達の位置に関する情報が上記掲示された位置更新において提供される、上記項目のいずれか一項に記載のシステム。
（項目３０）
上記ナビゲーションエンジンは、興味ある地点の位置の情報をアクセスするように適合され、上記モバイルユーザの位置に関連する位置情報を該１つ以上の興味ある地点の位置と比較する、上記項目のいずれか一項に記載のシステム。
（項目３１）
上記ナビゲーションエンジンは、上記モバイルユーザに関連する位置から前もって選択された距離内にある興味ある地点を識別するように適合され、該モバイルユーザの位置から該識別された興味ある地点の１つ以上に到達するまでの走行時間を算定するように適合されている、上記項目のいずれか一項に記載のシステム。
（項目３２）
上記１つ以上の興味ある地点の位置に関する情報が上記掲示された位置更新において提供される、上記項目のいずれか一項に記載のシステム。
（項目３３）
上記ソーシャルネットワーククライアントは、既定の条件下において上記位置情報の掲示を防止するために、
（ａ）ユーザ特定フィルタ、
（ｂ）システムデフォルトフィルタ、および
（ｃ）プライバシーポリシー
のうちの少なくとも１つを使用する、上記項目のいずれか一項に記載のシステム。
（項目３４）
少なくとも１つの位置更新条件は、
（ａ）相関されたナビゲーション位置の時間依存性統計値、および
（ｂ）相関されたナビゲーション位置の位置依存性統計値
のうちの少なくとも１つを含む、上記項目のいずれか一項に記載のシステム。
【０００８】
(摘要）
モバイルユーザの友達に安全に位置更新を提供するための、インターネットベースのソーシャルネットワークと自動的にインターフェイスで接続することが可能な方法およびシステムが開示される。特に、システムおよび方法は、ユーザの位置情報をソーシャルネットワークに自動的に掲示するために提供される。システムインターフェイスは、位置更新アクティベーションインジケータおよび位置更新条件を含むユーザデータを受信する。ナビゲーションエンジンは、モバイルユーザの現在位置に関連する情報を取得する。システムのソーシャルネットワーククライアントモジュールは、位置アクティベーションインジケータがアクティブであることと、位置更新条件が満たされていることとを特定するように適合されている。通信インターフェイスは、ソーシャルネットワーククライアントが少なくとも１つの位置更新条件が満たされていることを特定した場合にソーシャルネットワークに位置更新を自動的に掲示する。
【０００９】
本出願の局面および特徴は、以下の図面と共に詳細な説明の教示を習得した後に当業者に明白になる。
【図面の簡単な説明】
【００１０】
【図１】図１は、本発明の特定の実装に従った高度のモバイルユーザの動作環境の一例を描写する。
【図２】図２は、本発明の特定の実装に従ったモバイルユーザのモバイルデバイスに対するハードウェアブロック図の一例を描写する。
【図３】図３は、本発明の特定の実装に従った自動車用情報娯楽システムに対する機能的ブロック図の一例を描写する。
【図４】図４は、本発明の特定の実装に従った位置自動認識ソーシャルネットワーキングに対する自動更新フロー図の一例を描写する。
【図５Ａ】図５Ａ−５Ｃは、本発明の特定の実装に従った使用シナリオの一例を描写する。
【図５Ｂ】図５Ａ−５Ｃは、本発明の特定の実装に従った使用シナリオの一例を描写する。
【図５Ｃ】図５Ａ−５Ｃは、本発明の特定の実装に従った使用シナリオの一例を描写する。
【発明を実施するための形態】
【００１１】
ここで特定の実装に参照がなされ、特定の実装の例が添付の図面において描写される。明瞭性のために対応する特徴は、図面において提供されるさまざまな図にわたって一貫して印づけされる。多くの同様な設計、組み合せ、およびパッケージが可能であることが本開示を習得することによって当業者に明白になる。これらの設計、組み合せ、およびパッケージの全ては、本出願の範囲内であることが意図される。特定の実装において、モバイルユーザの友達に安全に位置自動認識更新を提供するための、インターネットベースのソーシャルネットワークと自動的にインターフェイスで接続することが可能な方法およびシステムが開示される。
【００１２】
図１は、高度のモバイルユーザの動作環境１００の一例を描写する。図１に示されるように、ワイヤレス通信システム１１０は、ワイヤレス通信ハブ１１５を含む。ワイヤレス通信システム１１０は、全地球測位システム（ＧＰＳ）１２０に上重ねされ得る。ワイヤレス通信システム１１０は、ＩＥＥＥ８０２．１１標準（ＷｉＦｉ）、ＩＥＥＥ８０２．１６標準（ＷｉＭＡＸ）、ＩＳ−９５標準（ＣＤＭＡ）、ＥＴＳＩ  Ｇｌｏｂａｌ  Ｓｙｓｔｅｍ  ｆｏｒ  Ｍｏｂｉｌｅ  Ｃｏｍｍｕｎｉｃａｔｉｏｎｓ標準（ＧＳＭ（登録商標））、直交周波数分割多重標準（ＯＦＤＭ）、単一搬送周波数分割多元接続標準（ＳＣ−ＦＤＭＡ）高速ダウンリンクパケットアクセス標準（ＨＳＤＰＡ）、３ＧＰＰ  Ｌｏｎｇ  Ｔｅｒｍ  Ｅｖｏｌｕｔｉｏｎ標準（ＬＴＥ）などのような任意のタイプのワイヤレス通信プロトコル、標準、または技術を含み得る。ワイヤレス通信システム１１０は、概してモバイルデバイスでのワイヤレス通信を容易にするために使用され得るブロードキャストセンター１１５（例えば、送信局、基地局、アクセスポイントなど）を含む。ブロードキャストセンター１１５はまた、インターネットへの有線接続またはワイヤレス接続を含み得る。動作環境１００はまた、全地球測位システム（ＧＰＳ）１２０を含み、全地球測位システム１２０は、それに関連する１つ以上のＧＰＳ衛星を有する。特定の実装において、システム１１０がＧＰＳ１２０の機能を実行するか、またはその逆も可能である。
【００１３】
環境１００は、４人の可能なモバイルユーザを示し、それぞれがモバイルデバイス１３０ａ−ｄを有する。この図示において、２人の自動車内のモバイルユーザ１３０ａおよび１３０ｃ、１人のラップトップコンピュータを有するモバイルユーザ１３０ｂ、および一人の携帯デバイスを使用するモバイルユーザが存在する。本開示の焦点は自動車内のモバイルユーザ１３０ａおよび１３０ｃに当てられるが、特定の実施形態はラップトップコンピュータを有するモバイルユーザ１３０ｂ、携帯デバイス１３０ｄを有するモバイルユーザ１３０ｄ、または本出願内で記述される機能、またはこの機能へのアクセスを有する任意の他のモバイルデバイスに等しく適用可能であることが当業者に明白になる。
【００１４】
モバイルユーザと共に、環境１００はまた、４つの興味のある地点（ＰＯＩ）１４０ａ−ｄを描写する。本開示の目的のために、興味ある地点（ＰＯＩ）は、全てのタイプの自然アイテム（山、水域、森林、砂漠、地学上の特徴など）と、全てのタイプの人工アイテム（道、交差点、ビル、空港、橋、湖など）と、全てのタイプのシステムにロードされたアイテム（気象情報、交通渋滞、緊急時行動など）と、全てのタイプのユーザによってロードされたアイテム（ジオキャッシング座標、自宅の位置、友達連絡情報、前もってロードされたツイートなど）とを含むことが意図される。特定の実装において、モバイルユーザのデバイスまたはシステム（例えば、自動車）は、ＰＯＩおよび／またはユーザの位置に関する更新を１つ以上のソーシャルネットワークにワイヤレス通信システム１１０を介して自動的に提供するために、環境１００の（ＧＰＳ１２０と対話し、ＰＯＩの知識を有する位置自動認識下層システムに基づく）知識を使用することが可能である。ソーシャルネットワークは、オンラインシステムのユーザ間で関係を築き、維持するためのオンラインシステムであり得、オンラインシステムの特徴および機能へのアクセスをユーザに提供するウェブサイトを含み得る。
【００１５】
図２は、モバイルユーザのモバイルデバイス１３０に対するハードウェアブロック図２００の一例を描写する。図２に示されるように、モバイルデバイス１３０は、概して１つ以上のプロセッサ２１０を含み得、プロセッサ２１０は、１つ以上のメモリ２２０に結合され得る。特定の実装において、プロセッサ２１０はメモリ２２０を組み込み得、および／またはメモリ２２０は内部および／または外部メモリを含み得、これらの内部および／または外部メモリは固定型および／または取り外し可能型であり得る。プロセッサ２１０はまた、１つ以上の通信モジュール２３０に結合され得る。特定の実装において、通信モジュール２３０の機能は、プロセッサ２１０によって実行され得る、メモリ２２０に含まれるソフトウェアであり得、これは通信モジュール２３０を不必要にし得る。
【００１６】
モバイルデバイス１３０はまた、１つ以上のインターフェイスモジュール２４０を含み得、インターフェイスモジュール２４０は、通信モジュール２３０に結合され得る。特定の実装において、インターフェイスモジュール２４０は、基地局、アクセスポイント、またはルータのような外部デバイスとの有線通信またはワイヤレス通信を容易にするための手段を含み得、外部デバイスは、インターネットへのアクセスおよび／またはＧＰＳサポートを提供し得る。当該分野で周知の、外部デバイスとの有線通信またはワイヤレス通信を容易にするためのこれらの手段は、モデム、無線器、アンテナなど（図示なし）を含み得る。特定の実装において、インターフェイスモジュール２４０は、キーボード、ディスプレイ、マイクロフォン、スピーカー、および／またはタッチスクリーン（図示なし）のような、モバイルユーザとモバイルデバイスとの間の対話の手段を含み得る。
【００１７】
図３は、自動車用情報娯楽システムに対する機能ブロック図３００の一例を描写する。上述されたように、本出願において記述される特定の実装は、例示目的のためにのみ自動車または乗用車を使用して提供され、添付の特許請求の範囲を限定することが意図されていない。
【００１８】
図３に示されるように、乗用車ヘッドユニット３１０は、ＧＰＳ３２０（ヘッドユニット３１０の外部にあり得る物理的無線器およびアンテナ）と、ナビゲーションエンジン３３０と、ソーシャルネットワーククライアントモジュール３４０とを含み得る。特定の実装において、これらのヘッドユニット３１０の下層システムの１つまたは全てがヘッドユニット３１０の外に位置し得、ヘッドユニット３１０は、単に下層システムの出力から入力を取り得、続く送信のために下層システムの出力を処理し得る。この例からわかるように、ナビゲーションエンジン３３０と、ソーシャルネットワーククライアントモジュール３４０と、ＧＰＳ３２０とは、自動車のためのヘッドユニット３１０における通信のために共に結合される。ＧＰＳ３２０は、リアルタイムで、または周期的なリアルタイムで位置情報をナビゲーションエンジン３３０に提供し得る。ナビゲーションエンジン３３０は、この例において、ユーザが車両で走行しているときにＧＰＳ３２０によって自動的に更新される位置情報を受信する。ナビゲーションエンジン３３０において、位置情報は、例えば住所が生成されるように逆ジオコーディングされ得る。
【００１９】
特定の実装において、ナビゲーションエンジン３３０はまた、ユーザの位置と１つ以上の興味ある地点（ＰＯＩ）を関連付けるために位置情報を使用し得る。ナビゲーションエンジン３３０は、次に、ソーシャルネットワーククライアント３４０に位置情報、および／または逆ジオコーディングされたデータ、および／または関連付けられたＰＯＩを提供し得る。ナビゲーションエンジン３３０はまた、ソーシャルネットワーククライアント３４０にルーティング情報、出発時刻、推定到着時刻、現在位置、目的地、平均速度、走行距離などの他のナビゲーション関連情報を提供し得る。
【００２０】
ソーシャルネットワーククライアント３４０は、ナビゲーションエンジン３３０からデータを受信し、そのデータをコンテンツおよびフォームのために処理し、結果として生じる１つまたは複数のソーシャルメディア更新を通信インターフェイス３５０に送る。特定の実装において、ユーザは、少しでも更新をするかどうかを含む更新設定をユーザインターフェイス３９０のようなシステムインターフェイスを介してヘッドユニットに前もってプログラムし得る。さらなる前もってプログラムされたユーザデータは、ソーシャルネットワークへのログイン情報、どのタイプのデータが更新のために使用されるか、および／またはいつ更新が試みられるべきかを含み得る。概して、ユーザデータは、ソーシャルネットワークにどこで、いつ、何が、どのように更新がなされるかに対する全ての局面を制御し得る。
【００２１】
特定の実装において、ユーザインターフェイス３９０は、ヘッドユニット３１０上に物理的に位置するボタン、ノブ、スイッチ、およびディスプレイ（図示なし）であり得る。ユーザインターフェイスはまた、外部ユーザインターフェイスをヘッドユニット３１０に結合するためのコネクタおよび／またはワイヤレスインターフェイスを含み得る。例えば、Ｂｌｕｅｔｏｏｔｈ（登録商標）またはＵＳＢケーブルのいずれかを使用して、ユーザは、ヘッドユニット３１０にスマートフォン（例えば、Ｂｌａｃｋｂｅｒｒｙ（登録商標）、ｉＰｈｏｎｅ（登録商標）など）を接続し得、従って、ソーシャルネットワーク更新に関するユーザデータを入力するためにスマートフォンを使用することが可能である。
【００２２】
ソーシャルネットワーククライアント３４０は、コンテンツのためにナビゲーションデータを処理することに対して使用するためのユーザ特定フィルタおよび／またはシステムデフォルトフィルタおよび／またはプライバシーポリシーを含み得る。例えば、ユーザ特定フィルタは、ナビゲーションエンジン３３０からソーシャルネットワーククライアント３４０に提供されたルート情報が、特定のソーシャルネットワークへの掲示、または全てのソーシャルネットワークへの全ての掲示に含まれることを防止し得る。ソーシャルネットワーククライアント３４０は、ナビゲーションデータをフォームのために処理することに対するソーシャルネットワーク掲示規則、規定、およびポリシーを含み得、これらはシステムデフォルトフィルタおよび／またはプライバシーポリシーとして含まれ得る。例えば、Ｔｗｉｔｔｅｒ（登録商標）は、全てのツイートの長さが１４０文字以内であることを要求する。特定の実装において、ソーシャルネットワーククライアント３４０は、一度に１つより多くのソーシャルネットワークのために処理し得、必要に応じて、要求に応じて、または所望されるように各ソーシャルネットワークに対して異なるコンテンツおよびフォーム処理フィルタを使用することが可能である。
【００２３】
ソーシャルネットワーククライアント３４０は、ナビゲーションエンジン３３０が提供する任意の、または全ての情報に対するゲート機能を提供し得、ユーザのプライバシーは、ユーザが保護すると決定した水準で保護され得る。フィルタおよび／またはプライバシーポリシーの自由度または制限度は、ユーザによって決定され得、従ってユーザの位置データがユーザが掲示することを決定することなしにはどこにも掲示されないことを確実にする。
【００２４】
フィルタおよびプライバシーポリシーは、ユーザ間で異なり得るユーザ設定である。例えば、ユーザは「Ｔｗｉｔｔｅｒ（登録商標）に状態更新を送る前に指示メッセージを表示する」のようなフィルタを設定し得、このフィルタは、どのツイートがＴｗｉｔｔｅｒ（登録商標）に送信されるかに対する完全な制御をユーザに提供する。これに反して、ユーザは、前もってプログラムされたユーザデータ、システムデフォルトデータ、またはこれら双方の組み合わせのうちのいずれかを使用して全ての更新を完全に自動化することを決定し得、従ってソーシャルネットワーククライアント３４０に任意のまたは全てのソーシャルネットワーク更新の完全な権限を付与する。
【００２５】
上記に論じられたように、ソーシャルネットワーククライアント３４０は、処理済みの更新を通信インターフェイス３５０に送る。図３に示されるように、通信インターフェイス３５０はヘッドユニット３１０の外部にあり得る。しかし、特定の実装において、通信インターフェイス３５０はヘッドユニット３１０に完全に、または部分的に組み込まれ得る。インターネットへの接続を提供することが最終的に可能な、当該分野で周知の任意のワイヤレス通信手段が通信インターフェイス３５０として使用され得る。このような通信手段は、結合されたスマートフォン、ラップトップコンピュータ、スマートブック、自動車電話などを介したＷｉＦｉ、ＷｉＭＡＸ、ＣＤＭＡ、ＧＳＭ（登録商標）、ＯＦＤＭ、ＬＴＥなどを含み得る。通信手段の特定の実装は、ソーシャルネットワーククライアント３４０とインターネット３６０上の１つ以上の意図された（もしくはターゲットされた）ソーシャルネットワークとの間の少なくともたまの接続を確保する。
【００２６】
特定の実装が本出願において１つ以上のソーシャルネットワーキングウェブサイトへのユーザシステムの位置自動認識更新の掲示に関して記述されているが、このようなシステムは、文字、音声、および／またはビデオによるＳＭＳメッセージ、音声メール、または電子メールを送ることを含むように容易に拡張され得ることが理解される。本開示の範囲は、このような拡張と、インターネットにデータ（この場合、本明細書において記述されるような位置自動認識データ）を提供するためにアクセスのみを必要とし得る他のものとを含むことが意図される。
【００２７】
図４は、位置自動認識ソーシャルネットワークに対する自動更新フロー図４００の一例を描写する。自動更新は、ソーシャルネットワークのような受信システムでの受信および掲示のために自動的に送信されるメッセージを提供する。位置情報を有する位置更新は、自動更新として提供され得る。このため、ユーザの位置情報は、ユーザが移動中にソーシャルネットワークのような受信システムに自動的に送信され得る。
【００２８】
ステップ４１０において、フローはユーザデータを取得し、これはユーザインターフェイス３９０の機能を有するインターフェイスモジュール２４０を使用して達成され得る。ユーザデータは、自動更新（例えば、位置更新）が少しでもなされるべきかどうか、ならびにさらなる前もってプログラムされたユーザ設定（以下にさらに論じられる）を含み得る。ステップ４２０において、ユーザデータの取得後に、ユーザによってプログラムされた自動更新インジケータを確認することによってユーザが自動更新をアクティブにしているかどうかの確認がなされ得る。位置更新に対しては、位置更新インジケータがアクティベーションのために確認され得る。自動更新機能がアクティブでない場合、次に、自動更新フローはステップ４３０に進み、停止する。しかし、自動更新機能がアクティブにされている場合、次に、フローはステップ４４０に進む。
【００２９】
ステップ４４０において、位置データが引き出される（位置データと共に他のデータも引き出される可能性がある）。例えば、ＧＰＳ３２０は、（例えば、インターフェイスモジュール２４０および通信モジュール２３０を介して）ＧＰＳ信号を受信し得、ＧＰＳ信号は、モバイルユーザが移動している場合、継続的または周期的に更新され得、その信号をナビゲーションエンジン３３０のプロセッサ２１０に対するメッセージに変換する。変換されたＧＰＳ信号は、経度、緯度、またはある他の地理特定識別子を表し得る。特定の実装において、変換されたＧＰＳ信号の代わりに、ＧＰＳ３２０および／またはヘッドユニット３１０に組み込まれたユーザインターフェイス３９０の機能を介して、ユーザが手動で経度および緯度を入力し得る。ＧＰＳ３２０は、次に、情報をナビゲーションエンジン３３０に送る。
【００３０】
ステップ４４０において、位置データ以外の他のデータが引き出され得る。例えば、ソーシャルネットワーククライアント３４０は、通信インターフェイス３５０を使用してインターネット３６０上の１つ以上のソーシャルネットワークと接続を確立し得る。この接続は、掲示もしくは状態更新中の通信の一部であり得るか、またはその掲示通信とは別個で異なるものであり得る。ソーシャルネットワーククライアント３４０が通信インターフェイス３５０を介してソーシャルネットワークと通信を確立すると、ソーシャルネットワークから友達の位置データを含む友達データを取得し得る。友達データは、通常モバイルユーザに利用可能であるその（または任意の）特定のソーシャルネットワーク上の友達に関する任意のデータであり得る。ソーシャルネットワーククライアント３４０は、次に、コンテンツおよびフォームのための友達データを処理し得る。処理された友達データは、次に、ナビゲーションエンジン３３０に提供される。ナビゲーションエンジン３３０は、次に、処理された友達データを位置データに組み込み得る。例えば、ナビゲーションエンジン３３０は、友達の位置データを、モバイルユーザに関連する位置情報と相関し得る。特定の実装において、ナビゲーションエンジン３３０は、通常のナビゲーションシステム機能（図示なし）を実行するときに友達の位置データを含む処理された友達データを使用し得る。例えば、友達データが友達に近隣の位置または住所のような友達の位置データを含む場合、次に、ナビゲーションエンジン３３０は、友達が近隣にいることをモバイルユーザに示す（モバイルユーザに対する友達の位置を識別する）友達アイコンをナビゲーション地図ディスプレイ（図示なし）上に挿入し得る。
【００３１】
位置（および他の）データの取得後、ステップ４５０において、自動更新条件が満たされているかどうかを確かめるために確認がなされ得る。条件が満たされている場合、次に、自動更新掲示がステップ４６０においてなされ、続いてステップ４７０において、別の自動更新がなされるか、またはなされることがユーザデータに部分的に基づいて予期されるかを確かめるために確認がなされる。一人以上の友達またはＰＯＩの位置に関する情報が、掲示された自動更新（例えば、位置更新）において提供され得る。自動更新条件が満たされていない場合、そのときは自動更新掲示がなされず、ステップ４７０における確認がなされる。
【００３２】
ステップ４５０において、ナビゲーションエンジン３３０は、ＧＰＳ３２０によって提供された位置（および他の）データを受信し、その位置情報をナビゲーション情報および／またはデータと相関する。例えば、ナビゲーションエンジン３３０は、相関されたナビゲーション位置データを生成するために、ＧＰＳ３２０から受信された位置情報をナビゲーション情報と相関し得る。特定の実装において、ナビゲーションエンジン３３０は、ＰＯＩおよび走行統計値をＧＰＳ位置情報と相関するために、地図データおよび走行データを使用し得る。ナビゲーションエンジンはまた、ソーシャルネットワーククライアント３４０によって提供された友達の位置をＧＰＳ３２０からの位置情報と相関し得る。ナビゲーションエンジン３３０は、ＰＯＩ情報をアクセスし、モバイルユーザに対する位置情報をＰＯＩの位置と比較する。このように、例えば、ナビゲーションエンジン３３０は、モバイルユーザから前もって選択された距離内にあるＰＯＩを識別し得、および／またはモバイルユーザに近い、もしくはもうすぐ近くなる一人以上の友達を識別し得る。ナビゲーションエンジン３３０はまた、モバイルユーザの位置から特定のＰＯＩおよび／または友達の位置に到達するまでの走行時間と、プログラムされた旅の目的地に到達するまでの残り時間と、他のナビゲーション統計値とを算定し得る。ナビゲーションエンジン３３０は、処理のために、相関されたナビゲーション位置データをソーシャルネットワーククライアント３４０に送る。
【００３３】
この相関されたナビゲーション位置データを使用して、位置更新のような自動更新が掲示されるべきかどうかを特定するためにユーザデータに対して確認がなされ得る。例えば、ユーザが最終旅目的地から１０分以内であるときに自動更新が掲示されることをユーザが望む場合、次に、相関されたナビゲーション位置データがその特定をするために使用され得る。または、ユーザが特定のタイプのＰＯＩまたは友達を通過する度に自動更新掲示をすることをユーザが望み得る。また、相関されたナビゲーション位置データは、その特定をするために使用され得る。時間依存性統計値および／または位置依存性統計値の事実上どの組み合わせもが自動更新を掲示するための条件としてユーザによって指定され得る。このように、ユーザは、いつおよび／またはどこで自動更新を掲示するかを規定および／または前もって条件付けし得る。
【００３４】
前に論じられたように、自動更新条件が満たされている場合、次に、自動更新が掲示される。ソーシャルネットワーククライアント３４０は、コンテンツおよびフォームのために受信されたナビゲーションデータを処理する。特定の実装において、コンテンツおよびフォームの処理は、ソーシャルネットワークの掲示規則および規定に従って、および／またはステップ４１０において引き出されたユーザデータ（例えば、モバイルユーザの掲示フィルタおよび／またはプライバシーオプション）に従ってナビゲーションデータを１つ以上のソーシャルネットワークのための１つ以上の掲示に変換する。ソーシャルネットワーククライアント３４０は、通信インターフェイス３５０に処理されたデータを提供する。通信インターフェイス３５０は、処理されたデータ、掲示、状態更新などをインターネット３６０を介して１つ以上のターゲットされたもしくは意図されたソーシャルネットワークに通信し得る。特定の実装において、限定なしに、処理されたデータは、モバイルユーザがどこに行くのか、およびモバイルユーザがどこから出発したのかのようなものを含み得る。処理されたデータは、近隣のＰＯＩまたはもうすぐ近隣になるＰＯＩのようなものを含み得る。処理されたデータは、最終目的地までの時間または旅の経過時間のようなナビゲーションデータおよび旅統計値を含み得る。これらは自動更新掲示の例にすぎず、添付の特許請求の範囲を限定することが意図されていない。
【００３５】
ステップ４７０において、なされるべきさらなる掲示がない場合、次に、フローはステップ４３０に進み、停止する。特定の実装において、ユーザは、特定の距離内、または最終旅目的地までの時間内にある場合にのみ自動更新を掲示することを望み得る。この掲示がなされた後、つぎには他の掲示がなく、フローが停止し得る。しかし、ユーザが旅程における全てのＰＯＩで自動更新を掲示することを望む場合、次に、ナビゲーションエンジン３３０は、旅中にこれ以上ＰＯＩがあるかどうかを知ることが可能であり、旅中に他のＰＯＩが存在しない場合、そのときは他の掲示がなされず、フローは停止し得る。
【００３６】
ステップ４７０において、なされるべきさらなる掲示がある場合、次に、フローはステップ４８０に進み、ここでフローは次の自動更新確認を待つ。この待機は、時間ベース（例えば、０からある秒数または分数など）であり得、待機は距離ベース（例えば、１からあるフィート数毎にまたはマイル数毎に確認する、など）であり得、または待機はある他の基準を有し得る（例えば、旅中にＰＯＩを通過する度に確認する）。自動更新確認頻度が何であれ、確認がなされる必要がある場合、フローは位置（および他の）データを取得するためにステップ４４０に送り戻され、次に、そこから前に論じられたように継続する。
【００３７】
フローが図４の機能ブロックに関して論じられているが、フローはソフトウェアにお実装され得、メモリ２２０に保存され得、プロセッサ２１０で実行され得、外部通信は、インターフェイスモジュール２４０を介して通信モジュール２３０によって統御される。
【００３８】
図５Ａ−５Ｃは、使用シナリオの一例を描写する。図５Ａは、限定された道路地図５００を示し、この地図において一人のモバイルユーザ５１０が示され、モバイルユーザ５１０は、この例において、この地図上にないある未知の出発点から示される走行方向５２０に向かって乗用車で走行している。また、この例において、モバイルユーザ５１０は、ＰＯＩ５３０に向かって走行しており、ＰＯＩ５３０に対して１つのルートのみが利用可能である（描写されている道だけを走行する）。モバイルユーザ５１０は、本発明に従った位置自動認識ソーシャルネットワーキングシステムを有することが仮定される。
【００３９】
モバイルユーザ５１０のシステムは、「ＰＯＩ５３０に向かっている、到着まであと２０分」のような自動更新をソーシャルネットワークに掲示し得る。または、モバイルユーザ５１０のシステムは、複数のソーシャルネットワークに複数の自動更新を掲示し得、これらの掲示のそれぞれもしくはすべてがモバイルユーザの経度と緯度、速度、出発点、走行時間、目的地に行くまでの時間、平均速度もしくは実際の速度、走行したルート、目的地までのルート、現在走行している道、向かっている方向などのうちの１つ以上を含み得る。どのソーシャルネットワーク、およびいつ／どのように／どこで自動更新を掲示するかの特定は、この現在の旅の開始前にモバイルユーザのシステムに前もってプログラムされている。
【００４０】
図５Ｂは、図５Ａの地図に加え、さらにＰＯＩ５３１−５３５も示される。描写されるように、モバイルユーザ５１０は少し前にＰＯＩ５３４を通過しており、ＰＯＩ５３３はモバイルユーザ５１０が向かう（ＰＯＩ５３０）ルート上にある。ＰＯＩ５１０、５３２、および５３５は、目的地へのルート上にあるように見えないが、地図表示において見ることが可能であり、位置自動認識ソーシャルネットワーキングシステムに既知である。特定の実装において、前もってプログラムされたユーザデータ次第で、モバイルユーザ５１０のシステムは、「ＰＯＩ５３０に向かっている、到着まであと２０分、５分でＰＯＩ５３３を通過する」のような自動更新をソーシャルネットワークにここで掲示し得る。または、モバイルユーザ５１０のシステムは、複数の自動更新を複数のソーシャルネットワークに掲示し得、これらの掲示のそれぞれまたは全てが、モバイルユーザ５１０のデータとの相関と共に、または相関なしに、現在モバイルユーザ５１０の地図表示内のＰＯＩ５３０−５３５についての任意の１つ以上の情報または全ての情報を含み得る。
【００４１】
図５Ｃは、図５Ｂの地図がモバイルユーザ５１０の２人の友達５１１−５１２を追加して示される。描写されるように、友達５１１は、ＰＯＩ５３１に（またはその近くに）おり、友達５１２はＰＯＩ５３２に（またはその近くに）いる。特定の実装において、前もってプログラムされたユーザデータ次第で、モバイルユーザ５１０のシステムは、「ＰＯＩ５３０に向かっており、５分でＰＯＩ５３３を通過、友達５１２に会うためにＰＯＩ５３２への迂回の可能性」のような自動更新をソーシャルネットワークにここで掲示し得る。または、モバイルユーザ５１０のシステムは、複数の更新を複数のソーシャルネットワークに掲示し得、これらの掲示のそれぞれまたは全てが、モバイルユーザ５１０のデータおよび／またはＰＯＩ５３０−５３５（これらの全てが現在モバイルユーザ５１０の地図表示内にある）との相関と共に、または相関なしに、友達５１１−５１２単独の、もしくは一緒の任意の１つ以上の情報または全ての情報を含み得る。
【００４２】
位置自動認識ソーシャルネットワーキングが詳細に、その特定の実装への参照と共に記述されているが、本出願の精神および範囲から逸脱することなくさまざまな変更および改変がなされ得ることが当業者に明白になる。従って、有効範囲が、添付の特許請求およびそれらの均等物の範囲内にあることを条件に、これらの改変および改造を含むことが意図される。
【符号の説明】
【００４３】
１１０  ワイヤレス通信システム
１１５  ワイヤレス通信ハブ
１２０  全地球測位システム
１３０ａ−ｄ  モバイルユーザ
１４０ａ−ｄ  興味ある地点
【図１】
0005953032.tif 000002
【図２】
0005953032.tif 000003
【図３】
0005953032.tif 000004
【図４】
0005953032.tif 000005
【図５Ａ】
0005953032.tif 000006
【図５Ｂ】
0005953032.tif 000007
【図５Ｃ】
0005953032.tif 000008